(57)【要約】【課題】規制部材を確実に規制位置に保持することができると共に、規制部材の操作性を向上することのできるシート給送装置及び画像形成装置を提供する。【解決手段】シート収納部に、シート収納部に収容されたシートの位置を規制する規制部材を移動可能に設ける。そして、シート給送ローラ４によりシート給送動作とレバー１５の保持動作を連動させる連動部３１は、シートが給送される際には、シート給送ローラ４の回転とレバー１５を連動させ、レバー１５により、シートサイズに応じた規制位置に移動した規制部材を保持する。【選択図】図４
2010155678.tif 000002
【特許請求の範囲】
【請求項１】
シート収納部に収納されたシートをシート給送部により給送するシート給送装置において、
前記シート収納部に移動可能に設けられ、前記シート収納部に収容されたシートの端部に当接して位置を規制する規制部材と、
前記規制部材を保持可能な保持部と、
前記シート給送部によるシート給送動作と前記保持部の保持動作とを連動させる連動部と、
を備えることを特徴とするシート給送装置。
【請求項２】
前記連動部は、前記シート給送部からの駆動力を前記保持部に伝達する駆動力伝達部を備え、
前記保持部は、前記駆動力伝達部を介して伝達される前記シート給送部からの駆動力により、前記規制部材を挟持して保持することを特徴とする請求項１記載のシート給送装置。
【請求項３】
前記保持部は通電により磁気力を発生する磁気力発生機構であり、
前記連動部は、前記シート給送部を駆動する際、前記保持部に通電する通電部材を備え、
前記磁気力発生機構は、前記通電部材による通電により、前記規制部材を磁気力で保持することを特徴とする請求項１記載のシート給送装置。
【請求項４】
前記磁気力発生機構を前記規制部材の移動方向に沿って複数並設し、シートサイズに応じて複数の前記磁気力発生機構のうちの所定の磁気力発生機構に選択的に通電することを特徴とする請求項３記載のシート給送装置。
【請求項５】
前記規制部材は、シートのシート給送方向の後端位置を規制する後端規制部材及びシートのシート給送方向と直交する幅方向の側端位置を規制する側端規制部材の少なくとも一方であることを特徴とする請求項１ないし４のいずれか１項に記載のシート給送装置。
【請求項６】
画像形成部と、前記画像形成部にシートを給送する前記請求項１ないし５のいずれか１項に記載のシート給送装置とを備えたことを特徴とする画像形成装置。
【発明の詳細な説明】
【技術分野】
【０００１】
本発明は、シート給送装置及び画像形成装置に関し、特にシートの位置を規制する規制部材を所定の規制位置に保持するための構成に関する。
【背景技術】
【０００２】
今日、プリンタや複写機等の画像形成装置においては、画像形成部にシートを給送して画像を形成するようにしたものが広く普及している。そして、このような画像形成装置は、シート収納部に収容されたシートをシート給送ローラにより画像形成部に自動給送するシート給送装置を備えている。
【０００３】
このような画像形成装置に用いられるシート収納部としては、各種サイズのシートを収容することのできるものがある。ここで、このシート収容部には、異なるサイズのシートを収納することができるようシート収容部に収容されたシートの後端を規制する後端規制部材が設けられている。また、シートの給送方向と直交する幅方向のシートの側端を規制する側端規制部材が設けられている。
【０００４】
そして、このようなシート収納部においては、側端規制部材によってシートの側端を規制すると共に後端規制部材によって後端を規制することにより、シートの先端位置を常に所定の位置に位置するようにしている。これにより、シートのサイズにかかわらず、安定したシートの給送を行うことができる。
【０００５】
なお、このような規制部材（側端規制部材及び後端規制部材）を用いてシートの位置の規制を行うようにした従来のシート収納部においては、シートサイズに応じた位置に規制部材を保持する必要がある。このため、従来のシート収納部では、底面に収納されるシートのサイズに対応した差し込み穴を複数形成し、シート収納の際には規制部材を、収納されるシートのサイズに応じた差し込み穴に差し込むようにしたものがある（特許文献１参照）。
【０００６】
しかし、このような差し込み穴に規制部材を差し込むようにした場合、規制部材による規制位置が制限されるため、収納できるシートのサイズが限定される。このため、規制部材をスライド可能に設け、シートサイズに応じた位置に規制部材をスライドさせることにより、シートの位置を規制するようにしたものがある（特許文献２参照）。
【０００７】
【特許文献１】特開平５−２０８７３６号公報
【特許文献２】特開２００７−３１０６４号公報
【発明の開示】
【発明が解決しようとする課題】
【０００８】
ところで、このような規制部材を備えた従来のシート収納部において、シート給送時、シートをシート給送ローラに押し付けるための中板を、シート収容部のシート給送方向下流側に回動自在に設けたものが有る。ところが、このような中板を設けた場合、シート給送時、中板が上方回動すると、シートがシート給送方向と反対方向に戻されるいわゆるキックバックが生じる場合があり、この場合、シートにより後端規制部材が押圧されるようになる。
【０００９】
そこで、従来は、シートにより押圧された場合でも、後端規制部材が動かないようにするため、後端規制部材をスライドさせるのに必要な力を大きく設定している。しかし、このようにスライドさせるのに必要な力を大きくした場合、後端規制部材をスライド操作させる際、後端規制部材が重くなり操作性が悪くなっていた。
【００１０】
また、側端規制部材においても、既述したキックバックやシート給送の際の斜行等によって側端規制部材がシートにより押圧される場合がある。そして、このような場合でも側端規制部材が移動することがないように、側端規制部材をスライドさせる力を大きく設定している。しかし、このように構成した場合、ユーザーは重い側端規制部材をスライドさせて所定位置に合わせなければならず操作性が悪くなっていた。
【００１１】
そこで、本発明は、このような現状に鑑みてなされたものであり、規制部材を確実に規制位置に保持することができると共に、規制部材の操作性を向上することのできるシート給送装置及び画像形成装置を提供することを目的とするものである。
【課題を解決するための手段】
【００１２】
本発明は、シート収納部に収納されたシートをシート給送部により給送するシート給送装置において、前記シート収納部に移動可能に設けられ、前記シート収納部に収容されたシートの端部に当接して位置を規制する規制部材と、前記規制部材を保持可能な保持部と、前記シート給送部によるシート給送動作と前記保持部の保持動作とを連動させる連動部と、を備えることを特徴とするものである。
【発明の効果】
【００１３】
本発明では、シートが給送される際に規制部材を保持して確実にシートを規制でき、シートの給送が終了すると、規制部材の保持を解除することにより、規制部材の操作性を向上することができる。
【発明を実施するための最良の形態】
【００１４】
以下、本発明を実施するための最良の実施の形態を、図面を用いて詳細に説明する。
【００１５】
図１は、本発明の第１の実施の形態に係るシート給送装置を備えた画像形成装置の概略構成を示す図である。
【００１６】
この画像形成装置３０は、画像形成装置本体３０Ａと、画像形成部３０Ｂと、画像形成部３０Ｂに記録紙等のシートＳを給送するシート給送装置３０Ｃ等を備えている。画像形成部３０Ｂは、感光体ドラム（像担持体）６と、感光体ドラム６の表面を露光して感光体ドラム上に静電潜像を形成するレーザスキャナユニット１１等を備えている。
【００１７】
シート給送装置３０Ｃは、シートを収納すると共に画像形成装置本体３０Ａに対して軸１ａを支点として開閉可能な積載トレイ１及び上下方向に回動可能な中板３ａとにより構成されるシート収納部３を備えている。また、シート給送装置３０Ｃは、シート収納部３に収納されたシートＳを、最上位のシートＳ１から１枚ずつ給送するシート給送部を構成するシート給送ローラ４を備えている。
【００１８】
なお、５は分離パッドであり、この分離パッド５は、バネ５ａによりシート給送ローラ４に圧接している。７は感光体ドラム６と共に、転写部を構成する転写ローラ、８は定着ローラ対である。
【００１９】
次に、このように構成された画像形成装置３０の画像形成動作を説明する。
【００２０】
不図示のパソコン等から画像情報が送られ、この画像情報を画像形成処理した不図示の制御部（コントローラ）がプリント信号を発すると、レーザスキャナユニット１１からの画像露光光により感光体ドラム６に潜像が形成される。この後、感光体ドラム上の潜像が、不図示の現像器によりトナーによって現像され、感光体ドラム上にトナー像が形成される。
【００２１】
一方、不図示の制御部がプリント信号を発すると、シート給送ローラ４が回転し、シート収納部３に収納された最上位のシートＳ１が給送される。なお、この際、シート給送ローラ４によりシートＳが複数枚給紙されても、シート給送ローラ４に圧接する分離パッド５によりシートＳは捌かれ、最上位のシートＳ１が感光体ドラム６と転写ローラ７とにより構成される転写部に搬送される。
【００２２】
そして、この転写部において、感光体ドラム上に形成されたトナー像がシートＳ１に転写され、この後、定着ローラ対８にて熱、圧力が加えられることにより、トナー像がシートＳ１に定着される。この後、画像が定着されたシートＳ１は、排紙ローラ対９により画像形成装置本体上面に設けられた積載トレイ１０へと排出される。
【００２３】
ところで、中板３ａ、あるいはシート収納部３の不図示の底面には、給送されるシートＳのシート給送方向と直交する幅方向の規制を行う一対の側端規制部材１２が幅方向に対称的に移動可能に設けられている。この一対の側端規制部材１２はシートの側端に当接して位置を規制する。また、積載トレイ１には、積載トレイ１に積載されたシートＳの後端部に当接して位置を規制する後端規制部材２が、シート給送方向に移動可能に設けられている。
【００２４】
なお、この積載トレイ１の幅方向の中央部には、図２に示すようにシート給送方向に延びた溝１ｂが設けられ、更にこの溝１ｂの両側にはシート給送方向に延びた一対のレール１ｃが設けられている。一方、後端規制部材２の底面の幅方向両側には、図３に示すようにトレイ１のレール１ｃに係合するためのフック部２ｂ，２ｃが設けられ、底面の幅方向中央には溝１ｂに差し入れられるピン２ａが突設されている。そして、このフック部２ｂ，２ｃを積載トレイ１のレール１ｃに係合させると共に、ピン２を溝１ｂに差し入れることにより、後端規制部材２は、積載トレイ１のほぼ中央をシート給送方向に沿ってスライドすることができる。
【００２５】
ところで、このような後端規制部材２には、既述したように中板３ａの先端が上方に回動する際、収納されているシートＳがシート給送方向と反対方向に戻される、いわゆるキックバックにより後端規制部材２を押す力が働く。そこで、本実施の形態においては、このように押す力が働いた場合でも、後端規制部材２をシート収納部３に収容されたシートの後端位置を規制する後端規制位置に保持するため図４に示すような連動部３１を備えている。
【００２６】
次に、このような連動部３１について説明する。
【００２７】
この連動部３１は、図４に示すように、一端が積載トレイ１の内部に軸１５ａを支点として回動自在に設けられ、後端規制部材２をシートサイズに応じた後端規制位置に保持可能な保持部を構成するレバー１５を備えている。そして、このレバー１５の回動端には、一端がワイヤ巻き取り部を有するウォームホイール１７に取り付けられているワイヤ１６の他端が取り付けられている。ここで、後述するようにシート給送ローラ４からの駆動力をレバー１５に伝達する駆動力伝達部であるワイヤ１６は、図２に示すように積載トレイ１の支点１ａを通ってウォームホイール１７に連結されている。
【００２８】
なお、図４において、１８はウォームホイール１７と噛み合うウォームギア、１９はウォームギア１８と噛み合うアイドラギア、２０はアイドラギア１９と噛み合うと共に、内部にトルクリミッタ２０ａを有している駆動伝達ギアである。２３はシート給送ローラ４の軸、２１、２２はシート給送ローラ４の軸２３を駆動するためのギア列である。
【００２９】
ここで、ワイヤ１６の一端が取り付けられているレバー１５は、図２をＡ方向から見た図である図５に示すように積載トレイ１に突設され、軸１５ａとなるボス１ｄにより回動自在に取り付けられている。なお、ボス１ｄに取り付けられた際、レバー１５は、積載トレイ１の溝１ｂに入り込んでいる後端規制部材２のピン２ａの下端部と当接可能な高さ位置となっている。そして、このように構成することにより、連動部３１は、シート給送ローラ４によるシート給送動作とレバー１５の保持動作とを連動させることができる。
【００３０】
次に、このように構成された連動部３１における後端規制部材２の保持動作について説明する。
【００３１】
プリントを行う前、ユーザーはシート収納部３にシートＳをセットし、この後、積載トレイ１に設けられた後端規制部材２を手でスライドさせてシートＳの後端に合わせる。このとき、後端規制部材２には何ら拘束する力は作用しておらず、フリーの状態なので、ユーザーは後端規制部材２をスムーズにスライドさせることができる。なお、この後、一対の側端規制部材１２を幅方向に手でスライドさせてシートＳの側端に合わせる。
【００３２】
次に、不図示の制御部からのプリント信号により給送動作信号がＯＮになると、中板３ａが持ち上がりシートＳの先端がシート給送ローラ４に当接される。この後、画像形成装置内に設けられた不図示の駆動源によりギア２２，２１が回転し、これによりシート給送ローラ４が回転してシートが送り出される。
【００３３】
ここで、このようなギア２２，２１の回転により、シート給送ローラ４だけでなく、駆動伝達ギア２０もトルクリミッタ２０ａを介して回転する。そして、駆動伝達ギア２０が回転するとアイドラギア１９を経てウォームギア１８が回転し、これに伴いウォームホイール１７がワイヤ１６を巻き取る方向に回転する。
【００３４】
これにより、ワイヤ１６はウォームホイール１７により巻き取られ、これに伴いレバー１５は支点１５ａを中心に回動し、後端規制部材２のピン２ａを積載トレイ１の溝１ｂの側壁面との間で挟持し、レバー１５を固定する。なお、このように後端規制部材２のピン２ａを固定した後は、アイドラギア１９と駆動伝達ギア２０とはトルクリミッタ２０ａを介して噛み合っているので、トルクリミッタ２０ａの作用によりレバー１５には規定力以上の力は加わらない。
【００３５】
このようにシート給送ローラ４の回転中は、即ちシート給送動作中は、レバー１５によってピン２ａを固定することにより、後端規制部材２は所定の後端規制位置に保持される。この結果、この後、中板３ａの昇降によりシートＳのキックバックが生じ、シートにより後端規制部材２を押す力が加わっても後端規制部材２が動くことはない。
【００３６】
次に、シートの給送が終了してシート給送ローラ４の回転が停止すると、ワイヤ１６の巻き取りが停止されるためレバー１５によるピン２ａの固定は解除され、これにより後端規制部材２はフリーになる。つまり、シートの給送が終了し、シート給送ローラ４が停止すると、後端規制部材２はフリーとなる。
【００３７】
このため、ユーザーは、この後、シートをセットする時には後端規制部材２をスムーズに動かして所定の後端規制位置に移動させることができる。なお、シート給送ローラ４が停止した際、後端規制部材２を確実にフリー状態とするため、レバー１５にバネ等の弾性部材を設け、シート給送ローラ４が停止した際、この弾性部材によりレバー１５を、ピン２ａの固定を解除する方向に移動させるようにしても良い。
【００３８】
以上説明したように、本実施の形態によれば、シート給送ローラ４の回転に連動して後端規制部材２を所定力で固定することができるので、シート給送時に発生する中板３ａの昇降によるキックバック力により、後端規制部材２が移動するのを防ぐことができる。これにより、シート給送の際、シートＳの位置を機械的に、所定の設定位置に保持することができる。また、シート給送ローラ４の回転が停止すると、後端規制部材２がフリーとなるので、ユーザーは後端規制部材２をスムーズに移動させることができる。
【００３９】
このように、シートが給送される際には後端規制部材２を後端規制位置に保持し、シートの給送が終了すると、後端規制部材２の保持を解除することにより、後端規制部材２を確実に後端規制位置に保持することができる。また、後端規制部材２の操作性を向上することができる。
【００４０】
なお、これまでの説明においては、レバー１５をトルクリミッタ２０ａを介して動作させたが、本発明は、これに限らず、例えば、電磁石により、給送動作信号と連動させてレバーを回動させ、後端規制部材２を後端規制位置に保持するようにしても良い。
【００４１】
次に、本発明の第２の実施の形態について説明する。
【００４２】
図６は、本実施の形態に係るシート給送装置を備えた画像形成装置の概略構成を示す図である。なお、図６において、既述した図１と同一符号は、同一又は相当部分を示している。
【００４３】
図６において、１３は画像形成装置本体３０Ａに対して軸１３ａを支点として開閉可能な積載トレイ、１４は積載トレイ１３に設けられ、シートの後端を規制する後端規制部材、１３ｂ〜１３ｆは積載トレイ１３内に設けられた電磁石である。
【００４４】
積載トレイ１３の幅方向中央部には、図７に示すように、シート給送方向に延びた一対のレール１３Ａ，１３Ｂが設けられている。一方、後端規制部材１４の底面の幅方向両側には、図８に示すように積載トレイ１のレール１３Ａ，１３Ｂに係合するためのフック部１４ｂ，１４ｃが、また底面の中央部には金属板１４ａが設けられている。そして、このフック部１４ｂ，１４ｃをトレイ１３のレール１３Ａ，１３Ｂに係合させることにより、後端規制部材１４は、積載トレイ１３の中央をシート給送方向に沿ってスライドすることができる。
【００４５】
また、積載トレイ１３の内部の、後端規制部材１４がスライドする領域には、図７に示すように複数の磁気力発生機構である電磁石１３ｂ〜１３ｆが、後端規制部材１４のスライド移動方向であるシート給送方向に沿って並設されている。この位置は、シートサイズ、例えばＡ５，Ｂ５，Ａ４，ＬＴＲ，ＬＧＬに応じた位置に設定されている。そして、この複数並設された電磁石１３ｂ〜１３ｆのうちの所定の電磁石にシートサイズに応じて選択的に電流を流すことにより、金属板１４ａを磁気力で固定することができる。
【００４６】
このように、本実施の形態においては、シート給送動作に連動して後端規制部材２を後端規制位置に保持するための連動部は、連動させる保持部として電磁石１３ｂ〜１３ｆを用いて後端規制部材２を磁気力で保持するようにしている。なお、これら各電磁石１３ｂ〜１３ｆは、支点１３ａを通して画像形成装置本体３０Ａに設けられたシート給送ローラ４を駆動する際、各電磁石１３ｂ〜１３ｆに通電する通電部材である不図示の電源と電気的に接続されている。
【００４７】
次に、このように構成された連動部における後端規制部材２の保持動作について図９に示すフローチャートを用いて説明する。
【００４８】
プリントを行う前、ユーザーは、まず図１０に示すように支点１３ａを中心に積載トレイ１３を開放してシートＳをセットし、この後、後端規制部材１４を手でスライドさせてシートＳの後端に合わせる。このとき、電磁石１３ｂ〜１３ｆには通電されていないので、後端規制部材１４には何ら拘束する力は作用しておらず、フリーの状態なので、ユーザーは後端規制部材１４をそのまま掴むだけでスムーズにスライドさせることができる。なお、この後、一対の側端規制部材１２を幅方向に手でスライドさせてシートＳの側端に合わせる。
【００４９】
次に、給送動作信号がＯＮになると中板３ａが持ち上がりシートＳの先端がシート給送ローラ４により給送されるのに適正な位置に移動し、この後、画像形成装置内に設けられた不図示の駆動源が駆動され、シート給送ローラ４が回転する。
【００５０】
また、給送動作信号がＯＮになると（Ｓ１００のＹ）、不図示の制御部からのシートサイズ情報により、シートサイズに応じた位置にある電磁石１３ｂ〜１３ｆがＯＮとなり、後端規制部材１４に設けられた金属板１４ａを固着する（Ｓ１０１）。これにより、後端規制部材１４が所定の力で固定される。つまり、シート給送ローラ４を駆動する際の通電により、後端規制部材１４が所定の力で固定される。なお、シートが、予め設定されたシートでない場合には、近傍の電磁石１３ｂ〜１３ｆをＯＮにして後端規制部材１４を固定させる。
【００５１】
そして、このように電磁石１３ｂ〜１３ｆによって後端規制部材１４を固定することにより、中板３ａの昇降によるキックバックが生じて後端規制部材１４を押す力が加わっても後端規制部材１４が動くことはない。
【００５２】
なお、この後、シートの給送が終了して給送動作信号がＯＦＦになると（Ｓ１００のＮ）、電磁石１３ｂ〜１３ｆがＯＦＦとなり、後端規制部材１４がフリー（ＦＲＥＥ）となる（Ｓ１０２）。これにより、後端規制部材１４を、再びスムーズに動かすことができるようになる。
【００５３】
以上説明したように、本実施の形態によれば、電磁石１３ｂ〜１３ｆによって後端規制部材１４を所定力で固定することができるので、シート給送時に発生する中板の昇降によるキックバック力により後端規制部材２が移動するのを防ぐことができる。また、本実施の形態のように、電磁石１３ｂ〜１３ｆを用いた場合、電磁石１３ｂ〜１３ｆにより、シートＳが暖められるので定着効率が向上する。
【００５４】
ところで、これまで説明した第１及び第２の実施の形態では、規制部材としてシートの後端を規制する後端規制部材を保持する構成について述べてきたが、本発明は、これに限らず、シートの幅方向の位置を規制する側端規制部材を保持する構成にも適用できる。
【００５５】
次に、このようにシートの幅方向の位置を規制する側端規制部材を保持するようにした本発明の第３の実施の形態について説明する。
【００５６】
図１１は、本実施の形態に係るシート給送装置に設けられ、シート給送動作に連動して側端規制部材を、シート収納部３に収容されたシートの側端位置を規制する側端規制位置に保持するため連動部３２の構成を示す図である。
【００５７】
図１１において、１２ａ、１２ｂはシートの幅方向の側端位置を規制する側端規制部材であり、この側端規制部材１２ａ，１２ｂは、対向して設けられると共に、それぞれ不図示のラック部を備えている。また、２４は不図示のシート収納部に設けられ、側端規制部材１２ａ，１２ｂに設けられたラック部と噛みあうピニオンギア、２４ａはピニオンギア２４の下方に突設されたピンである。
【００５８】
２５は不図示のシート収納部本体に設けられた支点２５ａを中心に回動可能なレバーであり、このレバー２５の回動端には金属板２５ｂが設けられている。そして、このレバー２５の金属板２５ｂの臨む位置には電磁石２６が設けられており、この電磁石２６に電流を流すことにより、金属板２５ｂと一体にレバー２５を回動させ、レバー２５を電磁石２６により磁気力で固定することができる。
【００５９】
このように、本実施の形態においては、側端規制部材１２ａ，１２ｂをシートの側端規制位置に保持するための連動部３２は、連動させる保持部として電磁石２６を用いて側端規制部材１２ａ，１２ｂを磁気力で保持するようにしている。
【００６０】
次に、このように構成された連動部３２における側端規制部材１２ａ，１２ｂの保持動作について説明する。
【００６１】
プリントを行う前、ユーザーは、シートＳをセットし、この後、まず不図示の後端規制部材をスライドさせてシートの後端を規制する。次に、側端規制部材１２ａ，１２ｂのどちらか一方を動かすことにより、側端規制部材１２ａ，１２ｂを手でスライドさせてシートの側端規制位置に合わせる。なお、このとき側端規制部材１２ａ，１２ｂには何ら拘束する力は作用しておらず、フリーの状態なので、ユーザーは側端規制部材１２ａ，１２ｂをそのまま掴むだけでスムーズにスライドさせることができる。
【００６２】
次に、給送動作信号がＯＮになると、電磁石２６が通電されて金属板２５ｂを引きつけ、これに伴いレバー２５が回動してピニオンギア２４の下方に同軸上で突設されたピン２４ａに圧接する。これにより、ピン２４ａはレバー２５と一方の側端規制部材１２ｂのラック部とに挟持され、固定される。
【００６３】
そして、このようにピン２４ａが固定されることにより、ピニオンギア２４が固定され、側端規制部材１２ａ，１２ｂも固定される。つまり、シート給送ローラ４を駆動する際の通電により、側端規制部材１２ａ，１２ｂが所定の力で固定される。この結果、この後、中板３ａの昇降によるシートＳのキックバックやシートの斜送によってシートＳにより、側端規制部材１２ａ，１２ｂを幅方向に拡げる方向に力が加わっても側端規制部材１２ａ，１２ｂは移動することはない。次に、シートの給送が終了すると、電磁石２６がＯＦＦになり、これによりピニオンギア２４の固定が解除され、側端規制部材１２ａ，１２ｂも移動が可能となる。
【００６４】
このように、本実施の形態によれば、シートが給送される際には側端規制部材１２ａ，１２ｂを側端規制位置に保持し、シートの給送が終了すると、保持を解除することにより、側端規制部材１２ａ，１２ｂを確実に側端規制位置に保持することができる。これにより、シート給送の際、斜行等のシートの給送不良が発生しない安定したシートの給送を行うことができる。また、側端規制部材１２ａ，１２ｂの操作性を向上することができる。
【図面の簡単な説明】
【００６５】
【図１】本発明の第１の実施の形態に係るシート給送装置を備えた画像形成装置の概略構成を示す図。
【図２】上記シート給送装置のシート収納部を構成する積載トレイの斜視図。
【図３】上記積載トレイに設けられた後端規制部材の斜視図。
【図４】上記後端規制部材を保持する連動部を説明するための上面概略図。
【図５】上記連動部を説明するための側面図。
【図６】本発明の第２の実施の形態に係るシート給送装置を備えた画像形成装置の概略構成を示す図。
【図７】上記シート給送装置のシート収納部を構成する積載トレイの斜視図。
【図８】上記積載トレイに設けられた後端規制部材の斜視図。
【図９】上記連動部における後端規制部材の保持動作を説明するフローチャート。
【図１０】上記画像形成装置の積載トレイを開放したときの状態を示す図。
【図１１】本発明の第３の実施の形態に係るシート給送装置に設けられた連動部の構成を示す図。
【符号の説明】
【００６６】
１        積載トレイ
２        後端規制部材
３        シート収納部
３ａ      中板
４        シート給送ローラ
１２      側端規制部材
１３      積載トレイ
１３ｂ〜１３ｆ  電磁石
１４      後端規制部材
１４ａ    金属板
１５      レバー
１６      ワイヤ
１７      ウォームホイール
２４      ピニオンギア
２４ａ    ピン
２５      レバー
２５ｂ    金属板
２６      電磁石
３０      画像形成装置
３０Ａ    画像形成装置本体
３０Ｂ    画像形成部
３０Ｃ    シート給送装置
３１      連動部
３２      連動部
Ｓ        シート
【図１】
2010155678.tif 000003
【図２】
2010155678.tif 000004
【図３】
2010155678.tif 000005
【図４】
2010155678.tif 000006
【図５】
2010155678.tif 000007
【図６】
2010155678.tif 000008
【図７】
2010155678.tif 000009
【図８】
2010155678.tif 000010
【図９】
2010155678.tif 000011
【図１０】
2010155678.tif 000012
【図１１】
2010155678.tif 000013